(57)【要約】【課題】ボイラの給水タンクの改造を不要とし、またヒートポンプ経由では、出湯温度を所望に維持することができる給水加温システムを提供する。【解決手段】給水タンク３には、ヒートポンプ４の凝縮器１４を介して給水路８により給水可能であると共に、凝縮器１４を介さずに補給水路９により給水可能である。補給水路９を介した給水タンク３への給水は、給水タンク３の水位が第一水位を下回ると行い、第一水位より高い第二水位を上回ると停止する。給水路８を介した給水タンク３への給水は、補給水路９を介した給水タンク３への給水開始に基づき開始し、補給水路９を介した給水タンク３への給水停止に基づき停止する。給水路８を介した給水タンク３への給水中、ヒートポンプ４を運転すると共に、ヒートポンプ４の凝縮器１４の出口側水温を設定温度に維持するように、凝縮器１４への通水量を調整するのがよい。【選択図】図１
2013238335.tif 000002
【特許請求の範囲】
【請求項１】
ヒートポンプの凝縮器を介して給水路により給水可能であると共に、前記凝縮器を介さずに補給水路により給水可能な給水タンクを備え、
前記補給水路を介した前記給水タンクへの給水は、前記給水タンクの水位が第一水位（Ｈ１）を下回ると行い、前記第一水位より高い第二水位（Ｈ２）を上回ると停止し、
前記給水路を介した前記給水タンクへの給水は、前記補給水路を介した前記給水タンクへの給水開始に基づき開始し、前記補給水路を介した前記給水タンクへの給水停止に基づき停止する
ことを特徴とする給水加温システム。
【請求項２】
前記給水路を介した前記給水タンクへの給水中、前記ヒートポンプを運転すると共に、前記ヒートポンプの凝縮器の出口側水温を設定温度に維持するように、前記凝縮器への通水量を調整する
ことを特徴とする請求項１に記載の給水加温システム。
【請求項３】
前記補給水路を介した前記給水タンクへの給水の有無は、前記補給水路に設けた補給水ポンプもしくは軟水器またはバルブの稼働信号、または、前記補給水路に設けたフロースイッチもしくは流量計の検出信号に基づき検知され、
前記給水路を介した前記給水タンクへの給水の有無、および／または、前記ヒートポンプの運転の有無は、前記稼働信号または前記検出信号に基づき切り替えられる
ことを特徴とする請求項１または請求項２に記載の給水加温システム。
【請求項４】
前記ヒートポンプの蒸発器に通される熱源流体の温度に基づき、前記ヒートポンプの出力を調整する
ことを特徴とする請求項１〜３のいずれか１項に記載の給水加温システム。
【請求項５】
前記ヒートポンプの蒸発器に通される熱源流体の量が設定を下回ると、前記ヒートポンプの運転を停止すると共に、前記蒸発器への熱源流体の供給を停止する
ことを特徴とする請求項１〜４のいずれか１項に記載の給水加温システム。
【発明の詳細な説明】
【技術分野】
【０００１】
本発明は、ヒートポンプを用いた給水加温システムに関するものである。
【背景技術】
【０００２】
従来、下記特許文献１に開示されるように、ボイラ（２４）の給水タンク（２３）への給水を、ヒートポンプ（１２）を用いて加温できるシステムが知られている。このシステムでは、給水タンク（２３）は、給水源（２１）から給水路を介して給水可能であると共に、給水路から分岐してヒートポンプ給湯器（１２）を介しても給水可能である。そして、給水タンク（２３）は、第１水位（５２Ｌ）を下回ると、ヒートポンプ給湯機（１２）からの給水が開始され、第１水位より高水位の第２水位（５２Ｈ）を上回ると、ヒートポンプ給湯機（１２）からの給水が停止される。また、第１水位より低水位の第３水位（３２Ｌ）を下回ると、給水源（２１）からの給水が開始され、第３水位より高水位であるが第１水位より低水位の第４水位（３２Ｈ）を上回ると、給水源（２１）からの給水が停止される。
【先行技術文献】
【特許文献】
【０００３】
【特許文献１】特開２０１０−２５４３１号公報（請求項４、図２−３）
【発明の概要】
【発明が解決しようとする課題】
【０００４】
前記特許文献１に記載の発明では、給水タンク内の水位に応じて、ヒートポンプ経由で給水するか、それに加えて直接にも給水するか、あるいはすべての給水を停止するかが切り替えられる。ボイラの給水タンクへの給水は、従来、給水タンク内の水位に応じて、下限水位を下回れば上限水位を上回るまで、ヒートポンプを介さずに直接に給水することが一般的であるから、そのようなシステムにおいて、さらにヒートポンプ経由でも給水可能にした構成ということができる。
【０００５】
しかしながら、給水タンク内の水位に応じてヒートポンプ経由の給水も制御するので、給水タンクに水位電極棒を追加するなど、給水タンクの改造が必要である。
【０００６】
そこで、本発明が解決しようとする課題は、ヒートポンプを用いた給水加温システムにおいて、給水タンクの改造を不要とすることにある。
【課題を解決するための手段】
【０００７】
本発明は、前記課題を解決するためになされたもので、請求項１に記載の発明は、ヒートポンプの凝縮器を介して給水路により給水可能であると共に、前記凝縮器を介さずに補給水路により給水可能な給水タンクを備え、前記補給水路を介した前記給水タンクへの給水は、前記給水タンクの水位が第一水位（Ｈ１）を下回ると行い、前記第一水位より高い第二水位（Ｈ２）を上回ると停止し、前記給水路を介した前記給水タンクへの給水は、前記補給水路を介した前記給水タンクへの給水開始に基づき開始し、前記補給水路を介した前記給水タンクへの給水停止に基づき停止することを特徴とする給水加温システムである。
【０００８】
請求項１に記載の発明によれば、給水タンクの水位に基づき、補給水路を介した給水タンクへの給水を制御すると共に、この補給水路を介した給水の有無に基づき、給水路を介した給水タンクへの給水を制御する。給水路を介した給水タンクへの給水制御は、給水タンクの水位に基づき行う訳ではないので、給水タンクの改造が不要である。
【０００９】
請求項２に記載の発明は、前記給水路を介した前記給水タンクへの給水中、前記ヒートポンプを運転すると共に、前記ヒートポンプの凝縮器の出口側水温を設定温度に維持するように、前記凝縮器への通水量を調整することを特徴とする請求項１に記載の給水加温システムである。
【００１０】
請求項２に記載の発明によれば、給水路を介した給水タンクへの給水中、凝縮器の出口側水温を設定温度に維持するように、凝縮器への通水量（給水路を介した給水タンクへの給水流量）を調整することで、給水源の水温や熱源流体の温度に拘わらず、所望温度の温水を得ることができる。
【００１１】
請求項３に記載の発明は、前記補給水路を介した前記給水タンクへの給水の有無は、前記補給水路に設けた補給水ポンプもしくは軟水器またはバルブの稼働信号、または、前記補給水路に設けたフロースイッチもしくは流量計の検出信号に基づき検知され、前記給水路を介した前記給水タンクへの給水の有無、および／または、前記ヒートポンプの運転の有無は、前記稼働信号または前記検出信号に基づき切り替えられることを特徴とする請求項１または請求項２に記載の給水加温システムである。
【００１２】
請求項３に記載の発明によれば、補給水路に設けた補給水ポンプもしくは軟水器またはバルブの稼働信号、または、補給水路に設けたフロースイッチもしくは流量計の検出信号に基づき、給水路を介した給水タンクへの給水制御を簡易に行うことができる。
【００１３】
請求項４に記載の発明は、前記ヒートポンプの蒸発器に通される熱源流体の温度に基づき、前記ヒートポンプの出力を調整することを特徴とする請求項１〜３のいずれか１項に記載の給水加温システムである。
【００１４】
請求項４に記載の発明によれば、熱源流体の温度を考慮してヒートポンプの出力を調整することで、熱源流体の温度変化に拘わらず、給水路を介した給水タンクへの給水流量を安定させることができる。
【００１５】
さらに、請求項５に記載の発明は、前記ヒートポンプの蒸発器に通される熱源流体の量が設定を下回ると、前記ヒートポンプの運転を停止すると共に、前記蒸発器への熱源流体の供給を停止することを特徴とする請求項１〜４のいずれか１項に記載の給水加温システムである。
【００１６】
請求項５に記載の発明によれば、ヒートポンプの熱源流体がなくなると、ヒートポンプの運転を停止することができる。
【発明の効果】
【００１７】
本発明によれば、ヒートポンプを用いた給水加温システムにおいて、給水タンクの改造を不要とすることができる。
【図面の簡単な説明】
【００１８】
【図１】本発明の給水加温システムの一実施例を示す概略図である。
【図２】図１の給水加温システムの制御方法の一例を示す図である。
【発明を実施するための形態】
【００１９】
以下、本発明の具体的実施例を図面に基づいて詳細に説明する。
図１は、本発明の給水加温システム１の一実施例を示す概略図である。
【００２０】
本実施例の給水加温システム１は、ボイラ２の給水タンク３への給水をヒートポンプ４で加温できるシステムであり、ボイラ２への給水を貯留する給水タンク３と、この給水タンク３への給水を貯留する補給水タンク５と、この補給水タンク５から給水タンク３への給水を加温するヒートポンプ４と、このヒートポンプ４の熱源としての熱源水（たとえば廃温水）を貯留する熱源水タンク６とを備える。
【００２１】
ボイラ２は、蒸気ボイラであり、給水タンク３からの給水を加熱して蒸気にする。ボイラ２は、典型的には、蒸気の圧力を所望に維持するように、燃焼量を調整される。また、ボイラ２は、缶体内の水位を所望に維持するように、給水タンク３からボイラ２への給水路に設けたポンプ７が制御される。ボイラ２からの蒸気は、各種の蒸気使用設備（図示省略）へ送られるが、蒸気使用設備からのドレン（蒸気の凝縮水）を給水タンク３へ戻してもよい。
【００２２】
給水タンク３は、補給水タンク５から、ヒートポンプ４を介して給水路８により給水可能であると共に、ヒートポンプ４を介さずに補給水路９により給水可能である。給水路８に設けた給水ポンプ１０と、補給水路９に設けた補給水ポンプ１１との作動を制御することで、給水路８と補給水路９との内、いずれか一方または双方を介して、補給水タンク５から給水タンク３へ給水可能である。給水路８には、給水ポンプ１０より下流に、廃熱回収熱交換器１２とヒートポンプ４とが順に設けられている。
【００２３】
給水ポンプ１０は、本実施例では、インバータにより回転数を制御可能とされる。給水ポンプ１０の回転数を変更することで、給水路８を介した給水タンク３への給水の流量を調整することができる。一方、補給水ポンプ１１は、本実施例では、オンオフ制御される。
【００２４】
補給水タンク５は、給水タンク３への給水を貯留する。補給水タンク５への給水として、本実施例では軟水が用いられる。すなわち、軟水器（図示省略）にて水中の硬度分を除去された軟水は、補給水タンク５に供給され貯留される。補給水タンク５の水位に基づき軟水器からの給水を制御することで、補給水タンク５の水位は所望に維持される。
【００２５】
ヒートポンプ４は、蒸気圧縮式のヒートポンプであり、圧縮機１３、凝縮器１４、膨張弁１５および蒸発器１６が順次環状に接続されて構成される。そして、圧縮機１３は、ガス冷媒を圧縮して高温高圧にする。また、凝縮器１４は、圧縮機１３からのガス冷媒を凝縮液化する。さらに、膨張弁１５は、凝縮器１４からの液冷媒を通過させることで、冷媒の圧力と温度とを低下させる。そして、蒸発器１６は、膨張弁１５からの冷媒の蒸発を図る。
【００２６】
従って、ヒートポンプ４は、蒸発器１６において、冷媒が外部から熱を奪って気化する一方、凝縮器１４において、冷媒が外部へ放熱して凝縮することになる。これを利用して、本実施例では、ヒートポンプ４は、蒸発器１６において、熱源として熱源供給路２０を通る熱源水から熱をくみ上げ、凝縮器１４において、給水路８の水を加温する。
【００２７】
ヒートポンプ４は、凝縮器１４と膨張弁１５との間に、所望により過冷却器１７を設けてもよい。過冷却器１７は、凝縮器１４から膨張弁１５への冷媒と、凝縮器１４への給水との間接熱交換器である。過冷却器１７により、凝縮器１４への給水で、凝縮器１４から膨張弁１５への冷媒を過冷却することができると共に、凝縮器１４から膨張弁１５への冷媒で、凝縮器１４への給水を加温することができる。ヒートポンプ４の冷媒は、凝縮器１４において潜熱を放出し、過冷却器１７において顕熱を放出する。
【００２８】
その他、ヒートポンプ４には、圧縮機１３の入口側にアキュムレータを設置したり、圧縮機１３の出口側に油分離器を設置したり、凝縮器１４の出口側（凝縮器１４と過冷却器１７との間）に受液器を設置したりしてもよい。
【００２９】
ところで、ヒートポンプ４は、その出力（圧縮機１３の容量）を変更可能とされてもよい。たとえば、圧縮機１３のモータの回転数をインバータで変更することで、ヒートポンプ４の出力を変更することができる。
【００３０】
熱源水タンク６は、ヒートポンプ４の熱源としての熱源水を貯留する。熱源水とは、たとえば廃温水（工場などから排出される温水）である。なお、熱源水タンク６には、熱源水の供給路１８が設けられると共に、所定以上の水をあふれさせるオーバーフロー路１９が設けられている。
【００３１】
熱源水タンク６の水は、熱源供給路２０を介して、ヒートポンプ４の蒸発器１６を通された後、廃熱回収熱交換器１２を通される。熱源供給路２０には、蒸発器１６より上流側に熱源供給ポンプ２１が設けられており、この熱源供給ポンプ２１を作動させることで、熱源水タンク６からの熱源水を、蒸発器１６と廃熱回収熱交換器１２とに順に通すことができる。
【００３２】
なお、廃熱回収熱交換器１２は、補給水タンク５から過冷却器１７への給水と、蒸発器１６からの熱源水との間接熱交換器である。本実施例の場合、補給水タンク５から給水路８を介した給水タンク３への給水は、補給水タンク５から、廃熱回収熱交換器１２、過冷却器１７および凝縮器１４を順に通された後、給水タンク３へ供給される。
【００３３】
給水路８には、凝縮器１４の出口側に、水温センサ２２が設けられる。この水温センサ２２は、凝縮器１４を通過後の水温を検出する。水温センサ２２の検出温度に基づき、給水ポンプ１０が制御される。ここでは、給水ポンプ１０は、水温センサ２２の検出温度を設定温度Ｔ１（たとえば７５℃）に維持するようにインバータ制御される。つまり、給水路８を介した給水タンク３への給水は、水温センサ２２の検出温度を設定温度Ｔ１に維持するように、流量が調整される。但し、場合により、このような水温センサ２２による流量調整制御を省略することもできる。
【００３４】
給水タンク３には、水位検出器２３が設けられている。水位検出器２３の構成は特に問わないが、本実施例では電極式水位検出器とされる。つまり、給水タンク３には、長さの異なる複数の電極棒２４，２５が、その下端部の高さ位置を互いに異ならせて差し込まれて保持されている。具体的には、給水停止電極棒２４と給水開始電極棒２５とが、順に下端部の高さ位置を低くして、給水タンク３に挿入されている。各電極棒２４，２５は、その下端部が水に浸かるか否かにより、下端部における水位の有無を検出する。
【００３５】
熱源水タンク６には、ヒートポンプ４の熱源としての熱源水の有無を確認するために、水位検出器２６が設けられている。水位検出器２６の構成は特に問わないが、本実施例では電極式水位検出器とされる。つまり、熱源水タンク６には、低水位検出電極棒２７が差し込まれており、熱源水の水位が設定を下回っていないかを監視する。また、熱源水タンク６には、熱源水の温度を検出する熱源温度センサ２８を設けておいてもよい。
【００３６】
次に、本実施例の給水加温システム１の制御（運転方法）について説明する。以下に説明する一連の制御は、図示しない制御器を用いて自動でなされる。
【００３７】
図２は、本実施例の給水加温システム１の制御方法の一例を示す図である。図１の破線および図２に示すように、給水タンク３の水位に基づき補給水ポンプ１１が制御され、この補給水ポンプ１１の稼働信号に基づき、ヒートポンプ４（特にその圧縮機１３）が制御される。
【００３８】
ここで、ヒートポンプ４は、その圧縮機１３の作動の有無により、運転と停止が切り替えられる。そして、給水ポンプ１０は、ヒートポンプ４の作動に連動し、ヒートポンプ４の作動中は給水ポンプ１０も作動し、ヒートポンプ４の停止中は給水ポンプ１０も停止する。但し、前述したように、給水ポンプ１０は、作動中、水温センサ２２の検出温度を所望に維持するように、回転数をインバータ制御される。
【００３９】
いま、給水停止電極棒２４が水位を検知し、給水タンク３内の水位が十分にある場合（給水タンク３内の水位が第二水位Ｈ２を上回っている場合）、給水タンク３への給水は不要であるから、補給水ポンプ１１を停止すると共に、ヒートポンプ４も停止している。
【００４０】
給水タンク３からボイラ２への給水により、給水タンク３内の水位が下がり、給水タンク３内の水位が第一水位Ｈ１を下回り、給水開始電極棒２５が水位を検知しなくなると、補給水ポンプ１１を作動させる。これに伴い、制御器は、補給水ポンプ１１への作動信号を検知して、ヒートポンプ４を運転する。これにより、補給水路９を介して給水タンク３へ給水されると共に、給水路８を介しても給水タンク３へ給水される。
【００４１】
その後、給水タンク３内の水位が第二水位Ｈ２を上回り、給水停止電極棒２４が水位を検知すると、補給水ポンプ１１を停止させる。これに伴い、制御器は、補給水ポンプ１１への停止信号を検知して、ヒートポンプ４を停止する。これにより、補給水路９および給水路８を介した給水タンク３への給水が停止される。
【００４２】
ヒートポンプ４を運転して、補給水タンク５から給水路８を介して給水タンク３へ給水する際、補給水タンク５からの給水は、廃熱回収熱交換器１２、過冷却器１７および凝縮器１４により徐々に加温されて、所定温度で給水タンク３へ供給される。給水タンク３とヒートポンプ４との間で水を循環させる場合と比較して、補給水タンク５から給水タンク３への一回の通過（ワンススルー）で給水を加温するので、ヒートポンプ４を通過する前後の給水の温度差を確保して、ヒートポンプ４の成績係数（ＣＯＰ）の向上を図ることができる。さらに、ヒートポンプ４と廃熱回収熱交換器１２とにより、給水加温システム１のシステム効率の向上を図ることができる。
【００４３】
ところで、ヒートポンプ４の運転中、つまり給水路８を介した給水タンク３への給水中、熱源水タンク６内の水温を熱源温度センサ２８で監視して、その温度に基づきヒートポンプ４の出力を調整してもよい。ヒートポンプ４の熱源としての熱源水の温度が高温なほど、ヒートポンプ４の出力を下げることができる。熱源水の温度を考慮してヒートポンプ４の出力を調整することで、熱源水の温度変化に拘わらず、給水路８を介した給水タンク３への給水流量を安定させることができる。
【００４４】
さらに、ヒートポンプ４の運転中、熱源水タンク６内の水位が下がり、低水位検出電極棒２７が水位を検知しなくなると、ヒートポンプ４の運転を停止すると共に、熱源供給ポンプ２１を停止して蒸発器１６への熱源水の供給を停止するのがよい。これにより、ヒートポンプ４を無駄に運転するのが防止される。
【００４５】
ところで、従前、ボイラ２の給水タンク３への給水は、前記実施例における給水路８およびヒートポンプ４のない構成でなされている。つまり、補給水タンク５から給水タンク３へは、従前、補給水路９のみで行われており、給水タンク３内の水位に基づき補給水ポンプ１１を制御している。本実施例では、この構成をそのまま活かしつつ、さらにヒートポンプ４経由でも給水可能に構成したものといえる。そして、補給水ポンプ１１の稼働信号を利用して、補給水路９に水が流れたらヒートポンプ４経由でも給水することで、給水タンク３への給水の加温を図ることができる。従って、ヒートポンプ４の制御のために、給水タンク３に水位電極棒を追加したりして、給水タンク３を改造する必要はない。
【００４６】
本発明の給水加温システム１は、前記実施例の構成に限らず、適宜変更可能である。特に、補給水路９の通水の有無に連動して、給水路８の通水の有無を切り替え、給水路８経由の給水をヒートポンプ４で加温する構成であれば、補給水路９の通水確認方法は特に問わない。つまり、前記実施例では、補給水ポンプ１１の稼働信号を用いたが、補給水路９を介した給水タンク３への給水の有無は、補給水路９に設けた補給水ポンプ１１の稼働信号に限らず、補給水路９に設けた軟水器もしくはバルブの稼働信号、または補給水路９に設けたフロースイッチもしくは流量計の検出信号に基づき検知してもよい。そして、これら信号により補給水路９に水が流れたことを把握すれば、ヒートポンプ４を作動させて、給水路８経由でも給水すればよい。
【００４７】
具体的には、たとえば、補給水路９を介した給水タンク３への給水の有無が、補給水路９に設けたバルブの開閉によりなされる場合、そのバルブが開くと、給水路８を介した給水タンク３への給水を開始し、前記バルブが閉まると、給水路８を介した給水タンク３への給水を停止すればよい。
【００４８】
また、補給水路９にフロースイッチまたは流量計を設けておき、補給水路９を介した給水タンク３への給水が確認されると、給水路８を介した給水タンク３への給水を開始し、補給水路９を介した給水タンク３への給水停止が確認されると、給水路８を介した給水タンク３への給水を停止すればよい。
【００４９】
さらに、前記実施例では、軟水器からの水を補給水タンク５へ一旦供給し、この補給水タンク５の水を給水タンク３へ供給する例を示したが、補給水タンク５の設置を省略して、軟水器から給水タンク３に直接に給水するようにしてもよい。その場合、図１において、補給水タンク５に代えて軟水器が設置され、その軟水器の出口に補給水路９が接続される。そして、補給水ポンプ１１の設置を省略する代わりに、給水タンク３の水位に基づき軟水器（より具体的には軟水器に内蔵の電磁弁）が制御される。また、補給水路９には給水路８を分岐して設け、給水ポンプ１０の設置を省略する代わりに、電動弁（モータバルブ）を設置し、この電動弁の開度を、水温センサ２２の検出温度に基づき制御すればよい。このような構成の場合、給水タンク３の水位に基づき軟水器が制御され、軟水器から補給水路９を介した給水タンク３への給水が開始されると、軟水器から給水路８を介した給水タンク３への給水も開始されるので、軟水器の稼働信号に基づきヒートポンプ４の発停を制御すれば足りる。
【００５０】
また、ヒートポンプ４は、単段に限らず複数段とすることもできる。ヒートポンプ４を複数段にする場合、隣接する段のヒートポンプ同士は、間接熱交換器を用いて接続されてもよいし、直接熱交換器（中間冷却器）を用いて接続されてもよい。後者の場合、下段ヒートポンプの圧縮機からの冷媒と上段ヒートポンプの膨張弁からの冷媒とを受けて、両冷媒を直接に接触させて熱交換する中間冷却器を備え、この中間冷却器が下段ヒートポンプの凝縮器であると共に上段ヒートポンプの蒸発器とされる。このように、複数段（多段）のヒートポンプには、一元多段のヒートポンプの他、複数元（多元）のヒートポンプ、あるいはそれらの組合せのヒートポンプが含まれる。
【００５１】
また、給水タンク３に、凝縮器１４を介して給水路８により給水可能であると共に、凝縮器１４を介さずに補給水路９により給水可能であれば、給水路８や補給水路９の具体的構成は、前記実施例の構成に限らず適宜変更可能である。たとえば、前記実施例では、給水路８と補給水路９とは、それぞれ補給水タンク５と給水タンク３とを接続するように並列に設けたが、給水路８と補給水路９との一端部（補給水タンク５側の端部）と他端部（給水タンク３側の端部）の一方または双方は、共通の管路としてもよい。言い換えれば、補給水路９の一端部は、補給水タンク５に接続するのではなく、給水路８から分岐するように設けてもよいし、補給水路９の他端部は、給水タンク３に接続するのではなく、給水タンク３の手前において給水路８に合流するように設けてもよい。補給水路９の一端部を、補給水タンク５に接続するのではなく、給水路８から分岐するように設ける場合、その分岐部より下流において、給水路８に給水ポンプ１０を設ける一方、補給水路９に補給水ポンプ１１を設ければよいが、分岐部よりも上流側の共通管路にのみポンプを設けて、分岐部より下流の給水路８（および補給水路９）に設けたバルブの開度を調整することで、給水路８や補給水路９を通る流量を調整してもよい。
【００５２】
また、前記実施例では、給水タンク３への給水を貯留するために補給水タンク５を設置したが、場合により補給水タンク５の設置を省略して、給水源から直接に給水路８および補給水路９に水を通してもよい。
【００５３】
また、前記実施例では、ボイラ２の給水タンク３への給水をヒートポンプ４で加温できるシステムについて説明したが、給水タンク３の貯留水の利用先は、ボイラ２に限らず適宜に変更可能である。
【００５４】
また、前記実施例では、給水路８を介した給水タンク３への給水流量を調整するために、給水ポンプ１０をインバータ制御したが、給水ポンプ１０をオンオフ制御しつつ、給水路８に設けたバルブの開度を調整してもよい。つまり、水温センサ２２の検出温度に基づき給水路８を介した給水の流量を調整可能であれば、その流量調整方法は適宜に変更可能である。
【００５５】
さらに、前記実施例では、ヒートポンプ４の熱源として熱源水を用いた例について説明したが、ヒートポンプ４の熱源流体として、熱源水に限らず、空気や排ガスなど各種の流体を用いることができる。
【符号の説明】
【００５６】
１  給水加温システム
２  ボイラ
３  給水タンク
４  ヒートポンプ
５  補給水タンク
６  熱源水タンク
７  ポンプ
８  給水路
９  補給水路
１０  給水ポンプ
１１  補給水ポンプ
１２  廃熱回収熱交換器
１３  圧縮機
１４  凝縮器
１５  膨張弁
１６  蒸発器
１７  過冷却器
１８  供給路
１９  オーバーフロー路
２０  熱源供給路
２１  熱源供給ポンプ
２２  水温センサ
２３  水位検出器
２４  給水停止電極棒
２５  給水開始電極棒
２６  水位検出器
２７  低水位検出電極棒
２８  熱源温度センサ
【図１】
2013238335.tif 000003
【図２】
2013238335.tif 000004